【手続補正書】
【提出日】平成17年7月6日(2005.7.6)
【手続補正１】
【補正対象書類名】明細書
【補正対象項目名】特許請求の範囲
【補正方法】変更
【補正の内容】
【特許請求の範囲】
【請求項１】
無線信号を送受信することによって、ＲＦ−ＩＤタグ上のデータを読み取るＲＦ−ＩＤタグ送受信回路において、
ＲＦ−ＩＤタグへ無線信号を送信する１つの送信アンテナと、
前記ＲＦ−ＩＤタグから符号化され送信される無線信号を受信する複数の受信アンテナと、
前記複数の受信アンテナを介して受信された複数の符号化データを用いて、前記ＲＦ−ＩＤタグから送信されたデータを復号する復号部とを備えることを特徴とするＲＦ−ＩＤタグ送受信回路。
【請求項２】
前記複数の符号化データの尤度に基づいて、前記送信アンテナを前記複数の受信アンテナの中から選択することを特徴とする請求項１記載のＲＦ−ＩＤタグ送受信回路。
【請求項３】
無線信号を送受信することによって、ＲＦ−ＩＤタグ上のデータを読み取るＲＦ−ＩＤタグ送受信回路において、
ＲＦ−ＩＤタグへ無線信号を選択的に送信し、かつ、前記ＲＦ−ＩＤタグから符号化され送信される無線信号を受信する複数の送受信アンテナと、
前記複数の送受信アンテナを介して受信された複数の符号化データを用いて、前記ＲＦ−ＩＤタグから送信されたデータを復号する復号部と、
前記複数の符号化データの尤度に基づいて、前記複数の送受信アンテナのいずれか１つを、ＲＦ−ＩＤタグへ無線信号を送信するアンテナとして選択する送信アンテナ選択部とを備えることを特徴とするＲＦ−ＩＤタグ送受信回路。
【請求項４】
前記復号部は、前記複数の符号化データの尤度に基づいて、データを最尤復号することを特徴とする請求項１、または３記載のＲＦ−ＩＤタグ送受信回路。
【請求項５】
ＲＦ−ＩＤタグへ無線信号を送信する際に変調を行う変調回路と、
前記ＲＦ−ＩＤタグから符号化され送信された無線信号を前記複数の受信アンテナを介して受信した際に復調を行う復調回路とを更に備えることを特徴とする請求項１、または３記載のＲＦ−ＩＤタグ送受信回路。
【請求項６】
前記変調回路は送信アンテナに対応して、該送信アンテナごとに備えられ、前記復調回路は受信アンテナに対応して、該受信アンテナごとに備えられることを特徴とする請求項５記載のＲＦ−ＩＤタグ送受信回路。
【請求項７】
複数の受信アンテナを有し、かつ、無線信号を送受信することによって、ＲＦ−ＩＤタグ上のデータを読み取るＲＦ−ＩＤタグ送受信回路に備えられた、該データの読み取りを行うデータ読取ユニットにおいて、
ＲＦ−ＩＤタグへ無線信号を送信する際に変調を行う変調回路と、
前記ＲＦ−ＩＤタグから符号化され送信された無線信号を前記複数の受信アンテナを介して受信した際に復調を行う復調回路と、
前記復調回路により復調された複数の符号化データを用いて、前記ＲＦ−ＩＤタグから送信されたデータを復号する復号部とを備えることを特徴とするデータ読取ユニット。
【請求項８】
前記変調回路は送信アンテナに対応して、該送信アンテナごとに備えられ、前記復調回路は受信アンテナに対応して、該受信アンテナごとに備えられることを特徴とする請求項７記載のデータ読取ユニット。
【請求項９】
無線信号を送受信することによって、ＲＦ−ＩＤタグ上のデータを読み取るＲＦ−ＩＤタグ送受信回路が行う送信アンテナの選択方法において、
前記ＲＦ−ＩＤタグから符号化され送信される無線信号を複数の受信アンテナを介して受信し複数の符号化データを得、
該複数の符号化データの尤度に基づいて、前記複数の受信アンテナの中から送信アンテナを択一的に選択することを特徴とする送信アンテナの選択方法。
【請求項１０】
無線信号を送受信することによって、ＲＦ−ＩＤタグ上のデータを読み取るＲＦ−ＩＤタグ送受信回路が行うデータの送受信方法において、
前記ＲＦ−ＩＤタグから符号化され送信される無線信号を複数の受信アンテナを介して受信し複数の符号化データを得、
該複数の符号化データの尤度に基づいて、前記複数の受信アンテナの中から送信アンテナを択一的に選択し、かつ、該選択された送信アンテナを介してデータを送信することを特徴とするＲＦ−ＩＤタグ送受信回路が行うデータの送受信方法。
【手続補正２】
【補正対象書類名】明細書
【補正対象項目名】００１６
【補正方法】変更
【補正の内容】
【００１６】
【課題を解決するための手段】
本発明は、上記課題を解決するため、下記のような構成を採用した。
すなわち、本発明の一態様によれば、本発明のＲＦ−ＩＤタグ送受信回路は、無線信号を送受信することによって、ＲＦ−ＩＤタグ上のデータを読み取るＲＦ−ＩＤタグ送受信回路において、ＲＦ−ＩＤタグへ無線信号を送信する１つの送信アンテナと、上記ＲＦ−ＩＤタグから符号化され送信される無線信号を受信する複数の受信アンテナと、上記複数の受信アンテナを介して受信された複数の符号化データを用いて、上記ＲＦ−ＩＤタグから送信されたデータを復号する復号部とを備えることを特徴とするＲＦ−ＩＤタグ送受信回路である。
【手続補正３】
【補正対象書類名】明細書
【補正対象項目名】００１７
【補正方法】変更
【補正の内容】
【００１７】
ここで、上記復号部は、上記複数の受信アンテナを介して受信された複数の符号化データを用いて、上記ＲＦ−ＩＤタグから送信されたデータに対する復号を行っている。すなわち、複数の受信アンテナで受信した各無線信号につき、各受信レベルを比較して最も感度の良いものに対してのみ復号を行うという処理を行ってはいないので、従来例のような受信レベル検出回路が不要となる。また、上記復号部による復号は、複数の符号化データに基づいて行われるので、高い回線品質を併せて確保することが可能である。
【手続補正４】
【補正対象書類名】明細書
【補正対象項目名】００１８
【補正方法】変更
【補正の内容】
【００１８】
また、本発明の別態様によれば、本発明のＲＦ−ＩＤタグ送受信回路は、無線信号を送受信することによって、ＲＦ−ＩＤタグ上のデータを読み取るＲＦ−ＩＤタグ送受信回路において、ＲＦ−ＩＤタグへ無線信号を選択的に送信し、かつ、上記ＲＦ−ＩＤタグから符号化され送信される無線信号を受信する複数の送受信アンテナと、上記複数の送受信アンテナを介して受信された複数の符号化データを用いて、上記ＲＦ−ＩＤタグから送信されたデータを復号する復号部と、上記複数の符号化データの尤度に基づいて、上記複数の送受信アンテナのいずれか１つを、ＲＦ−ＩＤタグへ無線信号を送信するアンテナとして選択する送信アンテナ選択部とを備えることを特徴とするＲＦ−ＩＤタグ送受信回路である。
【手続補正５】
【補正対象書類名】明細書
【補正対象項目名】００１９
【補正方法】変更
【補正の内容】
【００１９】
ここで、上記復号部は、上記複数の送受信アンテナを介して受信された複数の符号化データを用いて、上記ＲＦ−ＩＤタグから送信されたデータに対する復号を行っている。すなわち、複数の受信アンテナで受信した各無線信号につき、各受信レベルを比較して最も感度の良いものに対してのみ復号を行うという処理を行ってはいないので、従来例のような受信レベル検出回路が不要となる。また、上記復号部による復号は、複数の符号化データに基づいて行われるので、高い回線品質を併せて確保することが可能である。またさらに、送信アンテナ選択部により、上記複数の符号化データの尤度に基づいて、送信アンテナを決定しているので、双方向の回線品質を高くすることが可能である。
【手続補正６】
【補正対象書類名】明細書
【補正対象項目名】００２３
【補正方法】変更
【補正の内容】
【００２３】
また、図１のＲＦ−ＩＤタグ送受信回路２０は、１つの送信アンテナ２７と複数の受信アンテナ２８とを備えるが、これは図１のシステムでは、ＲＦ−ＩＤタグ送受信回路２０からＲＦ−ＩＤタグ１０に送信される無線信号は障害物４１によって減衰されることがなく（すなわち、障害物４１の影響を受けず）、ＲＦ−ＩＤタグ１０からＲＦ−ＩＤタグ送受信回路２０に送信される無線信号は障害物４１によって減衰される場合を想定している。
【手続補正７】
【補正対象書類名】明細書
【補正対象項目名】００５０
【補正方法】変更
【補正の内容】
【００５０】
図５において、ステップＳ１で、ＲＦ−ＩＤタグ送受信回路２０の送受信アンテナ２９のいずれか１つから無線信号を発射すると、ステップＳ２で、ＲＦ−ＩＤタグ１０はその無線信号を受信する。そして、ステップＳ３で、ＲＦ−ＩＤタグ１０は受信した無線信号（データ）を復調すると共に、エネルギーを抽出する。そして、ステップＳ４において、ＲＦ−ＩＤタグ１０内でデータを（畳み込み）符号化し、ステップＳ５で、その符号化信号を変調し、アンテナ１４を介して無線信号として送信する。
【手続補正８】
【補正対象書類名】明細書
【補正対象項目名】００５３
【補正方法】変更
【補正の内容】
【００５３】
【発明の効果】
以上、説明したように、本発明によれば、本発明のＲＦ−ＩＤタグ送受信回路の復号回路は、複数の受信アンテナを介して受信され、復調された複数の符号化データを用いて、ＲＦ−ＩＤタグから送信されたデータに対する復号を行っている。すなわち、複数の受信アンテナで受信した各無線信号につき、各受信レベルを比較して最も感度の良いものに対してのみ復号を行うという処理を行ってはいないので、従来例のような受信レベル検出回路が不要となる。また、復号回路による復号は、複数の符号化データに基づいて行われるので、高い回線品質を併せて確保することができる。
【手続補正９】
【補正対象書類名】明細書
【補正対象項目名】００５４
【補正方法】変更
【補正の内容】
【００５４】
また、本発明によれば、本発明のＲＦ−ＩＤタグ送受信回路の復号回路は、複数の送受信アンテナを介して受信され、復調された複数の符号化データを用いて、ＲＦ−ＩＤタグから送信されたデータに対する復号を行っている。すなわち、複数の受信アンテナで受信した各無線信号につき、各受信レベルを比較して最も感度の良いものに対してのみ復号を行うという処理を行ってはいないので、従来例のような受信レベル検出回路が不要となる。また、復号回路による復号は、複数の符号化データに基づいて行われるので、高い回線品質を併せて確保することが可能である。またさらに、送信アンテナ選択部により、複数の符号化データの尤度に基づいて、送信アンテナを決定しているので、双方向の回線品質を高くすることが可能である。